(57)【要約】  家庭、事業所または工業用の設備内の適切なガイドに沿って摺動し、延長ケーブルを必要とすることなく、一点から他点へ電気を給送できるようにする雌コネクタである。コネクタは、いくつかの真鍮コネクタに接続されたいくつかの電気ブラシをその内部に含むガイドに沿って摺動し、いくつかの真鍮コネクタはいくつかのトラックから雄コネクタの電極に向け電気を給送し、いくつかのトラックは片や電源あるいは汎用電気設備に接続されている。別の選択肢として、コネクタはトラックを介して汎用電気設備に接続された電気ピンを有するいくつかのガイドに沿って摺動する。
2011522382.tif 000002
【特許請求の範囲】
【請求項１】
ガイドに沿って摺動するブラシまたはピンを有する、家庭、事業所または工業用の設備向けのコネクタ（１）であって、
水平部（１６）を介して摺動部品（４）に接続された雌コネクタ（２）を備え、
前記摺動部品は、前記雌コネクタ（２）と共にガイド（６）内に挿入され、
前記摺動部品はブラシ（８）を有し、
該ブラシは、銅製中実ケーブルとキーとに接続されるか、又は、電気ケーブル（１０）を内包するブラシ（８）により直接コネクタ（１１）に接続され、
前記ブラシ（８）は、一端において、凹部（１８），（１９），（２０）内に収容されたトラック（１３）との接触をもたらし、他端において、前記雌コネクタ（２）の基準の帯片に接続された内螺子付きロッドに螺合した金属ばねとの接触によりアース接続されていることを特徴とするコネクタ。
【請求項２】
ガイドに沿って摺動するブラシまたはピンを有する、家庭、事業所または工業用の設備向けのコネクタ（１）であって、
ボックス（２１）との接続部を隠蔽するように構成された適合した従来型コネクタ（３）を備え、
該コネクタ（３）は、独立した摺動部品（５）から分離可能であり、
該独立した摺動部品は、該部品（５）の水平部（１７）内に等間隔スロット（２４）を中に具備し、
該スロットは、一連の位置合わせした空腔を形成するために前記独立した部品（５）を貫通しており、
前記空腔内に四角コネクタ（１２）が収容され、
該四角コネクタのそれぞれにピン（９）が係留され、
該ピンは、上側フラップ（７．１）の段違い筺体（２６）内に配置されたトラック（２５）との定常的な接触状態にあり、
前記上側フラップは、下側フラップ（７．２）との緊密で且つ交差された組立によりガイド（７）を形成しており、
前記独立した部品（５）の水平部（１７）に適合した中空ノッチ（２３）が、前記ボックス（２１）の背部から中間部、頂部または底部の領域において突出し、
前記中空ノッチは、前記ボックス（２１）に結合され、且つ、前記分離可能な雌コネクタ（３）と一体成形されており、
前記コネクタ（３）内部に収容された従来型コネクタに対して前記ボックス（２１）の螺子式装着部をピン（２２）が事前に接続し、それでもって該ピンが固定されていることを特徴とするコネクタ。
【請求項３】
請求項１または２に記載の、ガイドに沿って摺動するブラシまたはピンを有する、家庭、事業所または工業用の設備向けのコネクタ（１）であって、
前記コネクタ（２），（３）は、一体成形されるか又は２つの部品すなわちフラップ（７．１）と（７．２）で形成されたガイド（６），（７）に沿って摺動し、
前記コネクタ及び前記ガイドの全てが、給送電気の温度と電圧に耐えるのに適したプラスチック材あるいはＰＶＣ材で出来ており、
全ての前記ガイド（６），（７）は、両ガイド（６），（７）の一部を構成するスロット（１４），（１５）を形成するのに最適な高さを有する長手方向の開口空間を常時確保しており、
前記コネクタ（２），（３）は、前記水平部（１６），（１７）を前記スロット（１４），（１５）内に嵌入させて、前記トラック（１３），（２５）に接触する前記ブラシ（８）又は前記ピン（９）と共に摺動させられながら、前進または後退し、
前記ガイド（６），（７）内の電気の存否を表示する警告灯が、前記コネクタ（２），（３）または前記摺動部品（４），（５）内の任意の場所に含まれ、
家庭、事業所または工業用の汎用設備に対する前記ガイドの一時的な接続分離プラグが、始端もしくは終端のガイド部分に組み込まれていることを特徴とするコネクタ。
【発明の詳細な説明】
【技術分野】
【０００１】
本発明は、本件の場合、家庭、事業所、会社または製作所で電気を別の箇所に給送する必要があるときに、効率と簡便さあるいは便利さを主に改善するよう意図されたコネクタおよび電気ガイドの新規設計に関する。電気の給送は、壁上の固定ガイドに沿ってコネクタを摺動させ、さらにそれらを水平化させた構成内に挿入し、ガイドの反対側へ電力を給送するだけでなく、例えば装置や家電製品内のその摺動もまた用いて電源からコネクタを外すことを強いられることなくそれらに可動性をもたらし、本発明の適用を通じて所望場所で延長ケーブルを必要とすることなく必要に応じて電気を使うことができるようにすることで実現される。
【０００２】
本発明の適用範囲は、コネクタおよび電気材料または電気部品の製造あるいは市販を担う産業全体が取り組む範囲であり、また、電気設備や一般的な電力供給に向け意図された分野と、これに加え特にプラスチック製やＰＶＣ製のガイドや部品の型出しや成形や鋳造や押出し部門を考慮し、プラスチック要素をそれらの全ての派生品と共に製造しあるいは市販する市場分野もまた含むものである。
【背景技術】
【０００３】
出願人の側では、記載する特徴を有する発明の存在は目下のところ知られてはおらず、ここでその用途は完全に新規である。
【０００４】
クレーンやプーリーを有するいわゆるスライドブリッジが目下のところ工業用あるいは機械用の製作所に兎も角も何らかの類似性をもって使用されており、ここで接続および前記ブリッジを目指し定常的に流れる電流は、釦パネルを用い、天井から床へのケーブルを有し、常に水平方向に単一の平面内へ移動しており、異なる装置や機械を接続することのできる代替的なコネクタとしてではなく、可動ブリッジに対する定常的な接続として示される。一部製作所において、その危険性が故に常に困難なアクセス領域の近傍にあって、通常は天井や高い場所に配置されている被通電金属棒を、その棒や汎用電源から電気を切り離した後で位置決めすることのできるコネクタと共に使用することが知られている。 
【０００５】
例えば、壁や天井を介して環境の任意の地点、さらに浴室や台所や他の屋内の部屋における中間の高さ、あるいは事務所や理髪店や美容院やジム等においても同様に電力を手に入れることができるよう、電気ガイドに沿って摺動し、実用的かつ経済的な態様にてガイド付きの異なる様々なコネクタを実装するコネクタは、これまで知られていなかった。最も好都合な箇所に被駆動ガイドを配置するため、互いに接続された摺動コネクタとガイドトラックとの組み合わせを用い、よりずっと快適で融通性のある設備を提供する。本発明を通じ、コネクタと電気ガイドは、互いに効果的に係合させ、その結果として安全性と電流を駆動する１以上の電気ガイドに沿う不特定の数のコネクタの移送を保証する目的をもって設計され、延長部の具備とは無関係に異なる可動装置あるいは固定装置に対し電流を供給する。
【発明の概要】
【０００６】
この説明が関与する家庭、事業所または工業用の設備向けに電気ガイドに沿って摺動するブラシまたはピンを有するコネクタは、この場合しかるべきコネクタの作成ならびに設計に対応するものであり、それはガイド輪郭の内部から突出する単一部品から先ず構成され、プラスチックやＰＶＣを鋳造する鋳型を介して製造され、その内部に沿った適切な摺動向けに輪郭の中空空間内に嵌合されるよう摺動コネクタの背部に所定の設計を有する。
【０００７】
これらのコネクタ全体は、全て従来の雄コネクタ内に配設された各電極の雌結線とグラウンド結線の両方を含んでおり、幾つかの銅製あるいは真鍮製のコネクタを嵌入させる中空筺体を設計し、全て公式に承認されたコネクタが任意の結線および任意種の国内装置あるいは機械について必然的に担持する突出電極がその中を挿通するようにする。
【０００８】
装置のコネクタ付きケーブルとガイドに沿って摺動する雌コネクタとの間の電力の給送は、雄コネクタの前記電極に一種の金属製、すなわち銅製や真鍮製のキーの平滑面を直接接触させ、一方のキーを各電流相とし他方をグラウンド結線用とすることで打開され、既に説明したコネクタをコネクタ電極のための受容器としてその上に係留態様にて配置し、各キーとのさらなる接触を果す。
【０００９】
コネクタあるいは３個の雌コネクタを有するケーブルは常時その内部に空間のより良好な使用に向けた固形部品を収容しており、その内部に雄コネクタのコネクタやキーや電極が収容されるこの部品の一部をガイドに嵌入し、それによってコネクタの摺動を促し、他のコネクタ部分をコネクタヘッドが収容できるよう電気ガイドから精密な間隔だけ突出するものとする。
【００１０】
部品の成形に先立ち、キーに対しかつ他端を介して同一特性を有する他のキーに接続する幾つかの銅製ケーブルあるいは中実金属ロッドを挿入し、コネクタ内に所定の構造を形成し、各電気位相に対する電流の連続性を常に個別に連続的に供給するよう機能させ、またこれら後者のキーをカーボン製や金属製やグラファイト製の電気ブラシ複合体との基部および表面接点として機能させ、共に固形部品頂部の一種の平板や菱形面として配置してガイド内部およびその底部に嵌合させ、使用する各電気位相に対応させる。
【００１１】
部品とこれに接続された摺動コネクタの背面には、コネクタの背部領域とＰＶＣ製ガイドあるいは輪郭の内壁との間に遊隙が存在するときに圧力を及ぼす金属ばねが係留してあり、この金属ばねがガイドに沿ってトラックとして埋設された長手方向の金属製あるいは真鍮製の板を有し、これをこの場合は電気設備のグラウンド結線に直接接触させる。
【００１２】
このことは、２個の前記したブラシの場合に達成され、何故なら片やこれらが好ましくは真鍮で出来たそれらの対応するトラックあるいは中実板と接触するからであり、それらが好ましくは中実トラックを用いてトラック付きガイドを電源に接続することで受容電流を給送するが、撚り線ケーブルを用いて作成されたトラックを用いる選択肢を有する。
【００１３】
キーの代りに接続ケーブルを含むブラシも用いることができ、かくして被成形部品内に挿入されるどんなキーも銅製ケーブルも中実ロッドも用いることなく、銅製や真鍮製のコネクタとの直接接続に移行することもできる。
【００１４】
雌コネクタ内に存在する公式に認証された帯片に接触するキーではなく、内螺子付き中空ロッドあるいは中実ロッドを用いることで、グラウンド結線全体に対し別の装着可能性もまたもたらされ、この公式に認証された帯片を螺子付きロッドの一端に螺合させるため、コネクタの中央に穿孔して貫通させ、ロッドの他端を摺動部品の背部から突出させ、金属ばねが別の螺子によってロッドに接合されるようにして帯片とロッドとばねとを単一部品に形成する。
【００１５】
ガイドは、矩形のほぼ完全に閉じられ内部形状が中空をなすＰＶＣ製の長手方向輪郭から構成され、両側面の一方に輪郭の中間の高さに向け開口部分を残し、一種のスロットを作成しており、このスロットには、コネクタが挿入されてガイドに沿って連続的に摺動させる摺動部分と共に一部品を形成できるようにする目的をもって、ガイドの全長を占有させてある。
【００１６】
この「Ｃ」形状ガイドの各内端部に開口部分が生成され、その適切な長手方向の組み込み用に最小限の遊隙を設定することで、前述の電気的な真鍮トラックを挿入するのに前記ガイドが必要とする凹部が作成され、接着剤により適切に占有されている場合に所定の空間をさらに残すべく、トラックをガイド壁に固定することで、トラックの可動性や続くガイド部分の接続における結果的な不備や不整合を伴うことなく、これらを続いて場所やあるいはユーザの必要性に従って所定の大きさに切断するようにできる。
【００１７】
家庭、事業所または工業用の電気設備において摺動コネクタに対するガイドのリンクあるいは接続を、その中に螺子付きステムあるいはロッドを螺入する幾つかの貫通孔と螺子付きキャップを用い、輪郭部分を完全に占有するガイド端内部の矩形空間内にプラグとして緊密嵌合する適当なプラスチックあるいはＰＶＣ成形部品の設計を通じて実行し、例えばこの螺子付きロッドの反対側の端部により小さな貫通孔を介して家庭内の配線位相に対応するケーブルを接合させることで、プラグの肉厚を挿通させるときに、前記ロッドをトラックの一つと接触させる。
【００１８】
接続手段は他の位相用とグラウンド接続ケーブル用に反復使用され、このケーブル接続は螺子を用いてガイドに接合させる側方蓋により隠匿される。
【００１９】
輪郭を不動固定化するガイドを収容する係留輪郭内に嵌入することで壁に対するガイドの固定可能性が提供され、対応する平条がその構成内に既に予形成されているか、あるいはそれ用の空間を新規構成にて確保し、係留輪郭をモルタルあるいは接着剤により壁に接合し、その中で水平とし、ガイドは続いて係留輪郭内の圧力によりまたは代替的には適切なクランプにより嵌合され、係留輪郭を用いることなく壁あるいは天井に圧力により固定され、壁と天井にクランプを係留するのに螺子を用いることで、常に小さな貫通孔を穿孔し、この種の目的に合わせ設計された本発明の全てのガイドに向け空気の循環と排気流とを可能にし、それと共にガイドの内部を予想される湿分の無い状態に保つのを助け、さらに排気領域として役立てる。
【００２０】
この全体構成は、説明済みの要素を変えることなく、英国あるいは米国の電気システムに適用され、同じ摺動コネクタがこれら全ての設備に必要な空腔をもって設計される。
【００２１】
他方で、ピンを有する摺動コネクタは電気ガイドを減らす代替的な製造手段であり、これらは前記したのと類似の特徴を有するも２部品に分割されたコネクタとすることで効果的に有効とされ、同じ発明の一部としてしかるべき環境あるいは異なる環境において提供しあるいは提供しうる融通性が故に、一方を他方から分離する際に一方をガイドおよび分離可能な他方の内部に沿って摺動させ、何故ならそれはブラシ付きコネクタに用いるのと同じ動作を有するからであり、これらは長手方向のスロットが故に同様に「Ｃ」形状を有することになるガイド内に嵌入された摺動部品により構成され、摺動部品はガイドの長手方向スロットを最低限度越えていて、ＰＶＣ鋳造用の鋳型を介してブラシ付き摺動コネクタと同じ仕方で製造される。使用可能な３個の筺体スロットあるいは３個の孔が配設されるが、目的はガイドの寸法を最大限低減し、そこから摺動部品からコネクタが分離できるようにすることにあるため、等間隔に配置されたスロットを使用し、かくしてガイドの長手方向スロットを大幅に低減することが好ましい。
【００２２】
この種のスロットは側面から側面へそれを貫通する部品の前面に配置され、そこでピン付きの３個のコネクタを収容する空間を残し、電気位相ごとにピン１つがあり、中央はグラウンド接続用であり、部品の背部に螺入され、構成時に９０°を形成し、適当な垂直ピンがそのそれぞれにおいて異なる高さの四角形として螺子に合体され、それによってこれらは下端に貫通孔を有することになり、３個の前記したコネクタの垂直壁に対し完全に合体されることになり、このコネクタに対し四角であることに加え直線状ともしうる他の３個のピンが摺動部品の前面を介して接続され、かくしてグラウンド接続をもって２個の電極からなる従来の雌コネクタに対し反対側の端部によりピンの接続を可能とするが、それはピンの分離がコネクタの分離に整合するからであり、ピンはまた引っ張るときに分離可能な雌コネクタのコネクタにも穿孔して緊密に螺合され、かくしてピンが同時に突出するようにし、それによって接続領域が摺動部品あるいは要素内の突出領域の肉厚に嵌入する外側段部を有する中空ボックスにより隠匿され、雌コネクタに合体させた接続ピンを内部に、またコネクタ自体を前記した中空ボックス内に担持する。
【００２３】
コネクタを摺動させる電気ガイドは押出し成形ＰＶＣ輪郭を介するピンにより具現され、ここでも２部品で組み立てられ、ガイド内に長手方向の開口スロットを生み出し、その一側に沿ってスロットとピンを有する摺動部品を形成する「Ｔ」字水平区画部が摺動する。
【００２４】
各ピンをガイド全体に沿ってそこを挿通させることでその対応する高さで接触させるため、ガイドの頂部に関する押出し輪郭は、ほぼ中間の高さの内部に向かって分岐し、再びガイドの下側部品と同じ高さまでいく垂直区画部を背部に有する部分、すなわち電気的な真鍮トラックを個別に係留し、前記部分の頂部全体を占有して段違いに配置されるよう設計された長手方向の筺体を有する立体形態をもって製造される。
【００２５】
ガイドの底部の部品は背面に幾つかの壁すなわち垂直区画部を配置しており、これらの部分はガイドの上側部品の側壁に組み付けられ、各部品の両側面がガイドおよびブラシ付き摺動コネクタと同じ仕方で汎用電源に交差嵌合し接続される電気ガイドを作り上げており、摺動コネクタと同じ方法で壁あるいは天井内に装着される。
【００２６】
一方と他方のコネクタは共に、コネクタ内の電流の存否を表示し、単一あるいは独立した部品からなるコネクタあるいは摺動体部品内の何処かに係留された１以上の警告灯を含んでおり、その対応するエネルギー節約をもってガイドのプラグを不定期にあるいは一時的に切り換えるかあるいは接続しまたは切り離すことも含めることができ、さらに全てのガイドに含まれ、汎用設備に対し直接接続される初期部分として装着され、それによって連続的な接続が必要とされるか、あるいはそこで必要に応じてその使用が多少の便宜を招来する場合について、プラグ付きかまたはプラグ無しのガイドを選択する可能性全体をユーザに提供する。
【００２７】
上側ガイドに沿って摺動するブラシとその中に組み込まれたより縮減された雌コネクタとを有する一連のコネクタが、同一の態様にて連帯的かつ包括的に提供され、ユーザにより選択可能とする同じ理由から、また他方で適合する従来のコネクタよりも大きさが小さく、かつ摺動部品から分離可能なガイドが、これらの場合、ヘッドにおいてより大きな深さを有する雌コネクタ内と雄コネクタの電極内にあり、２個の電極は摺動部品の内部には挿通しておらず、ガイドは、ブラシ付きのコネクタで起こるように、一部事例と別の他の事例ではより実用的なガイドに加え、一部用途の単一部品からなるコネクタや他の分離可能なコネクタにも帰結し、発明により大きな融通性と異なる用途における利点をもたらし、それはユーザあるいはよりずっと異なる製造に対しより恩恵的な成果をもたらし、電力分野すなわち家庭や事業所や工業的な汎用設備において公式に承認された最適化要件に適合させた場合はいつも、概ねもう一つの筺体をコネクタに付加し、３相コネクタの場合に第３の位相用の接続および対応するグラウンド接続を設計することで、詳細な説明に詳しく記載した如く、すなわちピンを有する摺動部品用にブラシを介して接続手段を組み合わせるか、あるいはその逆として市場に投入することができる。
【００２８】
最後に、前部の両方のスロットと接続孔とを有する切り離し可能な雌コネクタから分離される摺動部材を有するガイドが適用される設備に対し、その適切な適用を事前に監督して、必要に応じて３個の電極と３個の接続ピンを持たせて市場に投入することのできる接続コネクタの可能性が提供される。
【００２９】
本発明を構成する全ての態様は、摺動および一連のコネクタとガイドとに有効な電気の必然的な給送に基づき電気ガイドに沿って摺動し、それらの全てを異なる用途を有する単一の新規概念の中に組み込むことで、ユーザにより選択可能とするコネクタに結実する。
【００３０】
記述する説明を補足し、新規性をもって提供する特徴のより詳細な理解に貢献する目的から、一連の図面をこの詳細な説明にその一体的な一部として添付し、それらは下記の説明理由を表わすものとする。
【図面の簡単な説明】
【００３１】
【図１】コネクタと、摺動するブラシを備えるとともに前記コネクタに接合した摺動部材に関する情報を提供するものであり、ガイド内に装着されたコネクタの斜視図と、該コネクタとは別のコネクタであって、摺動するピンと頂部において数段に段違い設計したガイドとを有する２部品に分かれたコネクタの斜視図とを併せて示す。
【図２】２つの断面図において本発明を表わすものであり、各断面図は、異なる部品を互いに適合させることを再度より良く理解させる図である。
【発明を実施するための形態】
【００３２】
図１を参照するに、家庭、事業所または工業用の設備内のガイドに沿って摺動するブラシまたはピンを有するこれらコネクタ（１）は、雌コネクタ（２）に接合される摺動部品（４）から構成され、雄コネクタの電極とコネクタヘッド自体の電極とをそれぞれ収容する空間を配設し、前記部品（４）とコネクタ（２）とを組み立てることで構成される。
【００３３】
幾つかの電気ブラシ（８）が摺動部品（４）の頂部と底部ならびにガイド（６）の内部に組み込まれていて、これらが前記部品（４）に接着するようにしてあり、該部品はブラシ（８）と摺動部品（４）内に収容された幾つかの真鍮コネクタ（１１）との間のリンクとして機能する電流ケーブル（１０）を有し、ブラシ（８）を通って電気がケーブル（１０）とコネクタ（１１）へ流れ、雄コネクタの電極に向け電気を給送し、かくして真鍮トラック（１３）内に流入する電力を届け、片や該トラックは電源あるいは汎用電気設備に接続されている。
【００３４】
摺動部品（４）が取り付けられたコネクタ（２）の組立体を参照するに、必要なコネクタ（２）はそこでガイド（６）内に係合挿入され、ガイド（６）は開口スロット（１４）を有する単一の「Ｃ」形状部品輪郭をしており、摺動部品（４）に接続されたコネクタ（２）の水平方向区画部（１６）が開口スロットに沿って摺動し、前述のガイド（６）はこの外にガイド（６）下端にあってトラック（１３）を挿入するための頂部筺体（１８）と底部筺体（１９）を筺体（２０）の近傍に有しており、該筺体はガイド（６）内に後部内壁の中間の高さに作成され、この場合グラウンド接続用に別のトラック（１３）の位置に通じている。
【００３５】
他方、雌コネクタ（３）は、このコネクタ（３）に結合する保護ボックス（２１）を含む設計を有する公式に認証された従来の雌コネクタに基づき適合させるようにしてあり、その端部の一つによりコネクタ（３）に接続される幾つかのピン（２２）の接続を隠匿している。ボックス（２１）の後部と同ボックス（２１）の中間の高さもしくは一部を形成する底部近傍に、雌コネクタ（３）を担持する独立した摺動部品（５）の水平区画部（１７）に適合した中空ノッチ（２３）が配設してあり、この部品（５）はいくつかのガイド（７）内を摺動させられる。
【００３６】
独立した摺動部品（５）は区画部（１７）に対し水平に配置された「Ｔ」字形状をとるよう構成され、ＰＶＣ鋳造用の鋳型を介して製造され、等間隔のスロット（２４）が部品（５）を前部から後部まで貫通しており、ここで真鍮製の四角コネクタ（１２）がスロット（２４）の下半分を占拠して収容されており、両側のスロットが両極の電気位相用に、また中央のスロットがグラウンド接続用に確保されている。
【００３７】
各ピン（２２）の自由端はスロット（２４）内部に組み込まれた対応する四角コネクタ（１２）へ接続されており、コネクタ（１２）の垂直領域は螺子により部品（５）の背面に接合されており、この螺子はいくつかの四角ピン（９）の前から通されて下側の孔を挿通しており、垂直ピン（９）はかくしてコネクタ（１２）に適切に結合され、嵌合されて常時不動固定化され、かくしてガイド（７）内部に接着されたトラック（２５）との安全かつ適切な接触を達成し、部品（５）はガイドに沿って申し分なく摺動する。
【００３８】
ガイド（７）は２個の部材、すなわちＰＶＣ輪郭を有する上側フラップ（７．１）と下側フラップ（７．２）とに作成され、２個の部材の組立体が「Ｃ」を形成し、ガイド（７）の中央の高さに長手方向の開口スロット（１５）を備える。
【００３９】
フラップ（７．１）は、続いて垂直区画部に中央スリットを作成され、これがその頂部で垂直区画部に分割され、その中にトラック（２５）を挿入する３個の段違い筺体（２６）を収容している。 
【００４０】
側方と垂直方向に突出する平坦な基部を有する下側フラップ（７．２）には、ガイド（７）の構成と装着時に上側フラップ（７．１）の垂直区画部に組み付けられる嵌合スリットを有する二重区画部が作成してある。
【００４１】
ガイド（６）と（７）を有するこの一連のコネクタ（２）と（３）は全て全体が新規で有用な発明を提供するものであり、これにより、開口スロット（１４）と（１５）を介して循環することによる全てのコネクタ（２），（３）と摺動部品（４），（５）への電流給送の可能性がもたらされ、１つの応用例あるいは複数の応用例が実用的かつ簡単な態様にて壁や天井に組み込まれる。
【００４２】
家庭、事業所または工業用の設備向けのガイドに沿って摺動するブラシまたはピンを有するコネクタ（１）の本実施形態に使用する要素は、本発明において説明したものとなるものであり、それを構成する全ての要素の寸法は市場に投入される可能な限りの変形例によって変更あるいは改良することができる。
【００４３】
本明細書を記述する用語は、限定的な態様ではなく常に広義に解釈するものとする。
【図１】
2011522382.tif 000003
【図２】
2011522382.tif 000004
【国際調査報告】
2011522382.tif 000005
2011522382.tif 000006
2011522382.tif 000007
2011522382.tif 000008